【手続補正書】
【提出日】令和2年5月22日(2020.5.22)
【手続補正１】
【補正対象書類名】特許請求の範囲
【補正対象項目名】全文
【補正方法】変更
【補正の内容】
【特許請求の範囲】
【請求項１】
所定距離内にある所定のセキュリティ情報を備える音波情報を、データ送信機によってモニタリングするステップ（１０１）と；
前記音波情報を解析するステップ（１０２）と；
前記音波情報に含まれる前記所定のセキュリティ情報を取得するステップ（１０２）と；
前記所定のセキュリティ情報と、送信対象であるデータ情報とに基づいてパターン情報を生成するステップ（１０３）と；
データ受信機が前記パターン情報を取得できるよう前記パターン情報を出力して、これを表示するステップ（１０４）と；を備える、
データ伝送方法。
【請求項２】
前記所定のセキュリティ情報と、送信対象であるデータ情報とに基づいてパターン情報を生成する前記ステップは：
前記送信対象であるデータ情報を取得するステップと；
所定の符号化アルゴリズムを用いて、前記所定のセキュリティ情報と、前記送信対象であるデータ情報とに基づいて、パターン情報を生成するステップと；を備える、
請求項１に記載のデータ伝送方法。
【請求項３】
前記パターン情報に含まれるチェック対象である所定のセキュリティ情報を認証するステップと；
前記チェック対象である所定のセキュリティ情報の前記認証に成功した場合、前記パターン情報に含まれるデータ情報を取得するステップと；を備える、
請求項１又は請求項２に記載のデータ伝送方法。
【請求項４】
前記チェック対象である所定のセキュリティ情報を認証する前記ステップは；
構成済み音波生成モジュール又はサードパーティの音波生成機が前記所定のセキュリティ情報を備える前記音波情報を送信した後に、前記所定のセキュリティ情報を取得するステップと；
前記パターン情報を解析し、前記パターン情報内の前記チェック対象である所定のセキュリティ情報を取得するステップと；
前記所定のセキュリティ情報と前記チェック対象である所定のセキュリティ情報とを比較するステップと；
前記所定のセキュリティ情報と前記チェック対象である所定のセキュリティ情報とが一致する場合、前記チェック対象である所定のセキュリティ情報の認証に成功したと判定するステップ、又は、
前記所定のセキュリティ情報と前記チェック対象である所定のセキュリティ情報とが一致しない場合、前記チェック対象である所定のセキュリティ情報の認証に失敗したと判定するステップと；を備える、
請求項３に記載のデータ伝送方法。
【請求項５】
前記音波情報は、あらかじめ選択された音波生成機を呼び出すステップと、前記あらかじめ選択された音波生成機に基づいて、前記所定のセキュリティ情報を備える前記音波情報を生成するステップとによって生成される、
請求項１に記載のデータ伝送方法。
【請求項６】
あらかじめ選択された音波生成機を呼び出す前記ステップは：
前記データ受信機内の構成済み音波生成モジュールを呼び出し、前記構成済み音波生成モジュールに基づいて前記所定のセキュリティ情報を備える前記音波情報を生成するステップであって、前記構成済み音波生成モジュールが前記あらかじめ選択された音波生成機を備える、前記生成するステップ；又は
サードパーティの音波生成機を呼び出し、前記サードパーティの音波生成機に基づいて前記所定のセキュリティ情報を備える前記音波情報を生成するステップ；を備える、
請求項５に記載のデータ伝送方法。
【請求項７】
前記予め選択された音波発生機は、予め選択されたマイクロホンを備える、
請求項５に記載のデータ伝送方法。
【請求項８】
所定のセキュリティ情報を備える前記音波情報は、所定の変調方式(modulation scheme)を用いて、前記所定のセキュリティ情報を前記音波情報に符号化するステップによって生成される、
請求項１に記載のデータ伝送方法。
【請求項９】
前記音波情報に含まれる前記所定のセキュリティ情報は、異なる伝送期間に基づき異なる、
請求項１に記載のデータ伝送方法。
【請求項１０】
チェック対象である所定のセキュリティ情報の認証に失敗した場合、前記データ情報を備える前記パターン情報は、無視される、
請求項１乃至請求項９のいずれか１項に記載のデータ伝送方法。
【請求項１１】
スキャン方法、前記データ送信機を振る方法、ボタントリガ方法、音声トリガ方法、及びラックスライド方式を備える、所定のデータ取得指示を実行するステップ；を更に備える、
請求項１乃至請求項１０のいずれか１項に記載のデータ伝送方法。
【請求項１２】
前記音波情報の解析は、前記音波情報に追加された所定の復号化ルールに基づく、
請求項１乃至請求項１１のいずれか１項に記載のデータ伝送方法。
【請求項１３】
前記所定のセキュリティ情報を復号されていない暗号文として表示するステップ；を更に備える、
請求項１乃至請求項１２のいずれか１項に記載のデータ伝送方法。
【請求項１４】
請求項１乃至請求項１３のいずれか１項に記載の方法を実行するように構成された、複数のモジュールを備える、
データ伝送デバイス。
【手続補正２】
【補正対象書類名】明細書
【補正対象項目名】０１１３
【補正方法】変更
【補正の内容】
【０１１３】
前述の説明は、本願の単なる実施であり、本願を限定するために使用されるものではない。当業者にとって、本願は様々な修正及び変形を有することができる。本願の精神及び原理から逸脱することなくなされたいかなる修正、均等物の置換、又は改良も、本願の特許請求の範囲の範囲内に含まれるものである。
［第１の局面］
所定距離内にある所定のセキュリティ情報を備える音波情報を、データ送信機によってモニタリングするステップと；
前記音波情報を解析し、前記音波情報に含まれる前記所定のセキュリティ情報を取得するステップと；
前記所定のセキュリティ情報と、送信対象であるデータ情報とに基づいてパターン情報を生成するステップと；
データ受信機が前記パターン情報を取得できるよう前記パターン情報を出力して、これを表示するステップと；を備える、
データ伝送方法。
［第２の局面］
所定距離内にある所定のセキュリティ情報を備える音波情報を、データ送信機によってモニタリングする前記ステップは：
あらかじめ選択されたマイクを呼び出して前記所定距離内にある前記所定のセキュリティ情報を備える前記音波情報をモニタリングするステップを備える、
第１の局面に記載のデータ伝送方法。
［第３の局面］
前記所定のセキュリティ情報と、送信対象であるデータ情報とに基づいてパターン情報を生成する前記ステップは：
前記送信対象であるデータ情報を取得するステップと；
所定の符号化アルゴリズムを用いて、前記所定のセキュリティ情報と、前記送信対象であるデータ情報とに基づいてパターン情報を生成するステップと；を備える、
第２の局面に記載のデータ伝送方法。
［第４の局面］
データ受信機によって、所定のセキュリティ情報を備える音波情報を生成し、前記音波情報を一斉同時通報するステップと；
データ送信機によって表示されたパターン情報を取得するステップであって、前記パターン情報は、データ情報と、チェック対象である所定のセキュリティ情報とを備える、前記取得するステップと；
前記パターン情報に含まれる前記チェック対象である所定のセキュリティ情報を認証するステップと；
前記チェック対象である所定のセキュリティ情報の前記認証に成功した場合、前記パターン情報に含まれる前記データ情報を取得するステップと；を備える、
データ伝送方法。
［第５の局面］
所定のセキュリティ情報を備える音波情報を、データ受信機によって生成する前記ステップは：
あらかじめ選択された音波生成機を呼び出し、前記あらかじめ選択された音波生成機によって、前記所定のセキュリティ情報を備える前記音波情報を生成するステップを備える、
第４の局面に記載のデータ伝送方法。
［第６の局面］
前記あらかじめ選択された音波生成機を呼び出し、前記あらかじめ選択された音波生成機に基づいて前記所定のセキュリティ情報を生成する前記ステップは：
前記データ受信機内の構成済み音波生成モジュールを呼び出し、前記構成済み音波生成モジュールに基づいて前記所定のセキュリティ情報を備える前記音波情報を生成するステップであって、前記構成済み音波生成モジュールが前記あらかじめ選択された音波生成機を備える、前記生成するステップ；又は
サードパーティの音波生成機を呼び出し、前記サードパーティの音波生成機に基づいて前記所定のセキュリティ情報を備える音波情報を生成するステップ；を備える、
第５の局面に記載のデータ伝送方法。
［第７の局面］
所定のセキュリティ情報を備える音波情報を、データ受信機によって生成する前記ステップは：
所定の変調方式(modulation scheme)を用いて、前記所定のセキュリティ情報を前記音波情報に符号化するステップを備え；
前記音波情報を一斉同時通報する前記ステップは：
所定の伝送期間に基づいて符号化された音波情報を一斉同時通報するステップであって、伝送期間が異なれば送信される音波情報に含まれる所定のセキュリティ情報が異なる、前記一斉同時通報するステップを備える、
第４の局面に記載のデータ伝送方法。
［第８の局面］
前記チェック対象である所定のセキュリティ情報を認証する前記ステップは：
前記構成済み音波生成モジュール又は前記サードパーティの音波生成機が、前記所定のセキュリティ情報を備える前記音波情報を送信した後に、前記所定のセキュリティ情報を取得するステップと；
前記パターン情報を解析し、前記パターン情報に含まれる前記チェック対象である所定のセキュリティ情報を取得するステップと；
前記所定のセキュリティ情報と前記チェック対象である所定のセキュリティ情報とを比較するステップと；
前記所定のセキュリティ情報と前記チェック対象である所定のセキュリティ情報とが一致した場合、前記チェック対象である所定のセキュリティ情報の前記認証に成功した、と特定するステップ；又は
前記所定のセキュリティ情報と前記チェック対象である所定のセキュリティ情報とが一致しなかった場合、前記チェック対象である所定のセキュリティ情報の前記認証に失敗した、と特定するステップ；とを備える、
第６の局面に記載のデータ伝送方法。
［第９の局面］
前記チェック対象である所定のセキュリティ情報の前記認証に失敗した場合、前記データ情報を備える前記パターン情報を無視するステップを更に備える、
第４の局面乃至第８の局面のいずれか１項に記載のデータ伝送方法。
［第１０の局面］
データ送信機によって表示されたパターン情報を取得する前記ステップは：
所定のデータ取得指示に基づいて、前記データ送信機によって表示された前記パターン情報を取得するステップであって、前記所定のデータ取得指示を実行するための方法は、スキャン方法、前記データ送信機を振る方法、ボタントリガ方法、音声トリガ方法、及びラックスライド方式を備える、前記取得するステップを備える、
に記載のデータ伝送方法。
［第１１の局面］
所定距離内にある所定のセキュリティ情報を備える音波情報をモニタリングするよう構成されたモニタリングユニットと；
前記モニタリングユニットが前記所定のセキュリティ情報を備える前記音波情報を前記所定距離内に検出すると、前記音波情報を解析するよう構成された解析ユニットと；
前記解析ユニットが前記音波情報を解析する工程において、前記音波情報に含まれる前記所定のセキュリティ情報を取得するよう構成された取得ユニットと；
前記取得ユニットによって取得された前記所定のセキュリティ情報と、送信対象であるデータ情報とに基づいてパターン情報を生成するように構成された生成ユニットと；
データ受信機が前記パターン情報を取得できるように、前記生成ユニットによって生成された前記パターン情報を出力して、これを表示するよう構成された出力表示ユニットと；を備える、
データ送信機。
［第１２の局面］
前記モニタリングユニットは、あらかじめ選択されたマイクを呼び出し、前記所定距離内にある所定のセキュリティ情報を備える前記音波情報をモニタリングするように構成された、
第１１の局面に記載のデータ送信機。
［第１３の局面］
前記生成ユニットは：
前記送信対象であるデータ情報を取得するよう構成された取得モジュールと；
所定の符号化アルゴリズムを用いて、前記所定のセキュリティ情報と、前記取得モジュールによって取得された前記送信対象であるデータ情報とに基づいて前記パターン情報を生成するよう構成された生成モジュールと；を備える、
第１２の局面に記載のデータ送信機。
［第１４の局面］
所定のセキュリティ情報を備える音波情報を生成するよう構成された生成ユニットと；
前記生成ユニットによって生成された前記音波情報を一斉同時通報するよう構成された一斉同時通報ユニットと；
データ送信機によって表示されるパターン情報を取得するよう構成された第１の取得ユニットであって、前記パターン情報はデータ情報とチェック対象である所定のセキュリティ情報とを備える、前記第１の取得ユニットと；
前記第１の取得ユニットによって取得された前記チェック対象である所定のセキュリティ情報を認証するよう構成された認証ユニットと；
前記認証ユニットが前記チェック対象である所定のセキュリティ情報の認証に成功した、と特定した場合、前記パターン情報に含まれる前記データ情報を取得するよう構成された第２の取得ユニットと；を備える、
データ受信機。
［第１５の局面］
前記生成ユニットは、前記あらかじめ選択された音波生成機を呼び出し、前記あらかじめ選択された音波生成機に基づいて前記所定のセキュリティ情報を備える前記音波情報を生成するよう構成された、
第１４の局面に記載のデータ受信機。
［第１６の局面］
前記生成ユニットは：
前記データ受信機内の構成済み音波生成モジュールを呼び出すよう構成された第１の呼出しモジュールであって、前記構成済み音波生成モジュールは前記あらかじめ選択された音波生成機を備える、前記第１の呼出しモジュールと；
前記第１の呼出しモジュールによって呼び出された前記構成済み音波生成モジュールに基づいて前記所定のセキュリティ情報を備える前記音波情報を生成するよう構成された、第１の生成モジュールと；
サードパーティの音波生成機を呼び出すよう構成された第２の呼び出しモジュールと；
前記第２の呼び出しモジュールによって呼び出された前記サードパーティの音波生成機に基づいて前記所定のセキュリティ情報を備える前記音波情報を生成するよう構成された第２の生成モジュールと；を備える、
第１５の局面に記載のデータ受信機。
［第１７の局面］
前記生成ユニットは、所定の変調方式を用いて、前記所定のセキュリティ情報を前記音波情報に符号化すべく構成され；
前記一斉同時通報ユニットは、前記生成ユニットにより符号化された前記音波情報を所定の伝送期間に基づいて一斉同時通報するよう構成され、伝送期間が異なれば音波情報に含まれる所定のセキュリティ情報は異なる、
第１４の局面に記載のデータ受信機。
［第１８の局面］
前記認証ユニットは：
前記構成済み音波生成モジュール又は前記サードパーティの音波生成機が前記所定のセキュリティ情報を備える前記音波情報を送信した後に前記所定のセキュリティ情報を取得するよう構成された第１の取得モジュールと；
前記第１の取得モジュールによって取得された前記パターン情報を解析するよう構成された解析モジュールと；
前記解析モジュールが前記パターン情報を解析する工程において、前記パターン情報に含まれる前記チェック対象である所定のセキュリティ情報を取得するよう構成された第２の取得モジュールと；
前記第１の取得モジュールによって取得された前記所定のセキュリティ情報と、前記第２の取得モジュールによって取得された前記チェック対象である所定のセキュリティ情報とを比較するよう構成された比較モジュールと；
前記比較モジュールが前記所定のセキュリティ情報と前記チェック対象である所定のセキュリティ情報とが一致する、と特定した場合、前記チェック対象である所定のセキュリティ情報の前記認証に成功した、と特定するよう構成された第１の特定モジュールと；
前記比較モジュールが、前記所定のセキュリティ情報と、前記チェック対象である所定のセキュリティ情報とが一致しない、と特定した場合、前記チェック対象である所定のセキュリティ情報の前記認証に失敗した、と特定するよう構成された第２の特定モジュールと；を備える、
第１６の局面に記載のデータ受信機。
［第１９の局面］
前記データ受信機は：
前記認証ユニットが前記チェック対象である所定のセキュリティ情報の前記認証に失敗した、と特定した場合、前記データ情報を備える前記パターン情報を無視するよう構成された無視ユニットを更に備える、
第１４の局面乃至第１８の局面のいずれか１項に記載の前記データ受信機。
［第２０の局面］
前記第１の取得ユニットは、前記データ送信機が所定のデータ取得指示に基づいて前記データ送信機によって表示された前記パターン情報を取得するよう構成され、前記所定のデータ取得指示を実施する方法は、スキャン方法、前記データ送信機を振る方法、ボタントリガ方法、音声トリガ方法、及びトラックスライド方法を備える、
第１９の局面に記載のデータ受信機。
［第２１の局面］
第１１の局面乃至第１３の局面のいずれか１項に記載の前記データ送信機と、第１４の局面乃至第２０の局面のいずれか１項に記載の前記データ受信機とを備える、
データ伝送システム。